(57)【要約】【課題】スーパー抗原あるいはサイトカインを吸着あるいは除去する材料および該材料を用いた血液浄化法の提供する。【解決手段】スーパー抗原および／またはサイトカインを除去あるいは不活化する医療用材料であって、固体高分解能炭素核磁気共鳴法によって観測される水素核のスピン−格子緩和時間（Ｔ１Ｈ）が１．２秒以下であることを特徴とする医療用材料。【選択図】なし【特許請求の範囲】
【請求項１】
スーパー抗原および／またはサイトカインを除去あるいは不活化する医療用材料であって、固体高分解能炭素核磁気共鳴法によって観測される水素核のスピン−格子緩和時間（Ｔ１Ｈ）が１．２秒以下であることを特徴とする医療用材料。
【請求項２】
該スーパー抗原が細菌性の毒素であることを特徴とする請求項１に記載の材料。
【請求項３】
該細菌がグラム陽性菌であることを特徴とする請求項２に記載の医療用材料。
【請求項４】
該スーパー抗原がトキシックショックシンドロームトキシン−１であることを特徴とする請求項１または２に記載の材料。
【請求項５】
該サイトカインが炎症性のサイトカインであることを特徴とする請求項１に記載の医療用材料。
【請求項６】
該炎症性のサイトカインがインターロイキン−６またはインターロイキン−８であることを特徴とする請求項１または５に記載の医療用材料。
【請求項７】
水素結合形成可能な官能基を有することを特徴とする請求項１〜６のいずれかに記載の医療用材料。
【請求項８】
該水素結合形成可能な官能基が尿素結合あるいはチオ尿素結合あるいはアミド結合を有することを特徴とする請求項７に記載の医療用材料。
【請求項９】
水不溶性であることを特徴とする請求項１〜８のいずれかに記載の医療用材料。
【請求項１０】
血液浄化用であることを特徴とする請求項１〜９のいずれかに記載の医療用材料。
【請求項１１】
請求項１〜１０のいずれかに記載の医療用材料を内部に充填して構成されていることを特徴とする血液浄化用カラム
【請求項１２】
請求項１〜１０のいずれかに記載の医療用材料あるいは請求項１１に記載の血液浄化カラムを用い、血液中のスーパー抗原を除去あるいは不活化させることを特徴とするスーパー抗原が原因である疾患の治療方法。
【請求項１３】
請求項１〜１０のいずれかに記載の医療用材料あるいは請求項１１に記載の血液浄化カラムを用い、血液中のサイトカインを除去あるいは不活化させることを特徴とする高サイトカイン血症の治療方法。
【発明の詳細な説明】
【０００１】
【発明の属する技術分野】
本発明は、スーパー抗原あるいはサイトカインを除去する、あるいは不活化する材料に関するものである。特に、血液中等の高濃度のタンパク質溶液中に存在するスーパー抗原あるいはサイトカインと結合することによって、その活性を失わせる材料に関するものであり、高濃度のタンパク質溶液中に存在するスーパー抗原あるいはサイトカインを除去する血液浄化カラムとして好適に用いられる。
【０００２】
【従来の技術】
一般抗原は、抗原提示細胞（ａｎｔｉｇｅｎ  ｐｒｅｓｅｎｔｉｎｇ  ｃｅｌｌ；以下，ＡＰＣと略す）内でプロセッシングを受けペプチド断片に分解された後、主要組織適合抗原複合体（ｍａｊｏｒ  ｈｉｓｔｏｃｏｍｐａｔｉｂｉｌｉｔｙ  ａｎｔｉｇｅｎ  ｃｏｍｐｌｅｘ；以下、ＭＨＣと略す）クラスＩＩ分子と複合体を形成して細胞表面に提示される。このときＴ細胞受容体（Ｔ  ｃｅｌｌｒｅｃｅｐｔｅｒ；以下、ＴＣＲと略す）は超可変部の相補性決定領域を用いてＭＨＣクラスＩＩ分子−ペプチド複合体を認識するため、活性化されるＴ細胞は限定される。一方、スーパー抗原はＡＰＣによるプロセッシングを受けずにＭＨＣクラスＩＩ分子とＴＣＲのβ鎖可変領域部分（以下、Ｖβと略す）の外側に結合する。すなわちスーパー抗原はＶβの中でも多様性に乏しい部分を認識するため、特定のＶβを持つＴ細胞をその特異性に関係なく大量に活性化させる。Ｔ細胞の過剰な活性化に伴い、単球、マクロファージの活性化、サイトカインの大量放出が起こり、血圧低下、発熱などの症状が引き起こされると考えられている。スーパー抗原は細菌性、ウイルス性、植物性の３系統に分類できるが、中でも細菌性スーパー抗原はヒトの感染症と深く関連している。細菌性スーパー抗原として、黄色ブドウ球菌が産生する腸管毒素Ａ、Ｂ、Ｃ、Ｄ、Ｅ（Ｓｔａｐｈｙｒｏｃｏｃｃｕｓ  ａｕｒｅｕｓ  Ａ、Ｂ、Ｃ、Ｄ、Ｅ；以下順に、ＳＥＡ、ＳＥＢ、ＳＥＣ、ＳＥＤ、ＳＥＥと略す）や、トキシックショックシンドロームトキシン−１（ｔｏｘｉｃ  ｓｈｏｃｋ  ｓｙｎｄｒｏｍ  ｔｏｘｉｎ−１；以下、ＴＳＳＴ−１と略す）、Ａ群溶血性連鎖球菌が産生する外毒素Ａ、Ｃ、Ｆ、Ｇ、Ｈ（Ｓｔｒｅｐｔｃｏｃｃａｌ  ｐｙｒｏｇｅｎｉｃ  ｅｘｏｔｏｘｉｎ  Ａ、Ｃ、Ｆ、Ｇ、Ｈ；以下順に、ＳＰＥＡ、ＳＰＥＣ、ＳＰＥＦ、ＳＰＥＧ、ＳＰＥＨと略す）、エルシニア菌が産生する外毒素（Ｙｅｒｓｉｎｉａ  ｐｓｅｕｄｏｔｕｂｅｒｃｕｌｏｓｉｓ−ｄｅｒｉｖｅｄ  ｍｉｔｏｇｅｎ；以下、ＹＰＭと略す）が同定されている。
【０００３】
スーパー抗原が関与している疾患としては、ＴＳＳＴ−１に起因する毒素性ショック症候群（ｔｏｘｉｃ  ｓｈｏｃｋ  ｓｙｎｄｒｏｍ；以下，ＴＳＳと略す）や新生児ＴＳＳ様発疹症（Ｎｅｏｎａｔａｌ  ＴＳＳ−ｌｉｋｅ  ｅｘａｎｔｈｅｍａｔｏｕｓ  ｄｉｓｅａｓｅ；以下、ＮＴＥＤと略す）、ＹＰＭが原因の全身エルシニア菌感染症などがある。さらに、猩紅熱や劇症型Ａ群連鎖球菌感染症、急性全身性血管炎である川崎病にも、スーパー抗原の関与が示唆されている。
【０００４】
従来より、スーパー抗原が関与している疾患に対する治療としては抗菌薬の投与が行われているが、感染が薬物耐性菌によるものであった場合には抗菌薬の効果はなく、病態が改善しない場合があるうえ、近年、抗菌薬の安易な投与による薬物耐性菌の出現が問題になっている。また、スーパー抗原の作用を抑えるという目的で可溶性受容体やγグロブリン製剤などの抗体に代表されるような標的のスーパー抗原と特異的に結合してその作用を阻害するタンパク質、あるいは、受容体アンタゴニストのようにスーパー抗原と競合的にその受容体に結合するタンパク質を生体内に投与することが試みられてきたが、生体投与のための多量のタンパク質の調製には多大な費用がかかる。また、投与するγグロブリン製剤に含まれる抗体が標的のスーパー抗原に特異的でないために、病態が改善しない場合がある。さらに投与するタンパク質が生体にとって異物である場合には患者にとって不都合な免疫反応を惹起する場合がある。体液中に存在するＴＳＳＴ−１を除去する材料に関しては、たとえば特許文献１（特開平１０−２９０８３３号公報）では疎水結合の高い化合物を固定した材料によってＴＳＳＴ−１を吸着する材料が開示されているが、ＴＳＳＴ−１によって活性化された免疫系が過剰に放出する物質を除去あるいは不活化することができるものではないために、病態の改善効果は期待できない。
【０００５】
サイトカインは、感染、外傷などの刺激により免疫担当細胞をはじめとする各種の細胞によって産生され細胞外に放出されて作用する一群のタンパク質である。本来は生体防御のために産生する免疫関連のタンパク質と考えられるが、生体内で過剰に産生されることにより各種炎症性疾患における組織障害や病態に関与することが明らかになっている。特に、全身性炎症反応症候群（ｓｙｓｔｅｍｉｃ  ｉｎｆｌａｍｍａｔｏｒｙ  ｒｅｓｐｏｎｓｅ  ｓｙｎｄｒｏｍｅ；以下、ＳＩＲＳと略す）を引き起こす原因として、インターロイキン（以下、ＩＬと略す）や腫瘍壊死因子（ｔｕｍｏｒ  ｎｅｃｒｏｓｉｓ  ｆａｃｔｏｒ；以下、ＴＮＦと略す）やインターフェロン類が知られているが、その中でもＩＬ−６やＩＬ−８が近年注目されている。
【０００６】
ＩＬ−６は非特許文献１に記載されているように、免疫・造血・急性期反応など、生体防御反応に広く関与する因子で、Ｔ細胞、マクロファージ、線維芽細胞などからマイトジェン、ウイルス感染、ＩＬ−１などの刺激により分泌される、分子量が約２万１千の糖タンパク質であり、ヒトでは１８４アミノ酸からなる（「免疫学辞典」（東京化学同人）、１９９３年）。ＩＬ−６は活性化Ｂ細胞に作用してＩｇＭ、ＩｇＧ、ＩｇＡの各クラスの免疫グロブリンの産生を誘導することが確認されている。また、慢性関節リウマチや全身エリテマトーデスなどの自己免疫疾患や、高ガンマグロブリン血症などの発症に関与することが報告されており、さらに、重症急性膵炎においては、血中のＩＬ−６の濃度が高値である場合には臓器不全を合併するなどの重症化の危険性が高いことが報告されている（「日本救急医学会雑」Ｖｏｌｕｍｅ  １１，Ｎｕｍｂｅｒ  １０，Ｏｃｔｏｂｅｒ  ２０００）。
【０００７】
ＩＬ−８は、活性化マクロファージをはじめとした種々の組織細胞によって産生される物質で、分子内に２つのジスルフィド結合を有した、７２個のアミノ酸からなる塩基性のヘパリン結合性ポリペプチドである（「別冊医学のあゆみ  サイトカイン−基礎から応用まで」医歯薬出版株式会社、１９９２年）。その代表的な生物活性として、好中球・Ｔ細胞・好塩基球に対する走化性を挙げることができる。また、好中球を活性化して炎症局所へ遊走させるだけでなく骨髄から末梢血への動員にも関与しており、リソソーム酵素の放出や好中球の血管内皮細胞への付着の変化、カンジダ菌の増殖抑制を亢進する。ＩＬ−８を腹腔もしくは静脈注射すると、１時間以内に末梢血中の好中球が増加し、皮下投与や関節腔内投与では投与された局所に大量の好中球ならびにＴリンパ球の動員が観察される。とくに持続静脈内投与によって肺胞の破壊を引き起こしてａｃｕｔｅ  ｒｅｓｐｉｒａｔｏｒｙ  ｄｉｓｔｒｅｓｓ  ｓｙｎｄｒｏｍｅ（急性呼吸窮迫症候群；以下、ＡＲＤＳと略す）様の様相を示したり、関節腔内投与では著名な滑膜破壊が認められるなどの強い臓器障害作用もある。Ｉｎ  ｖｉｖｏにおいては、痛風、慢性関節リウマチ、腎盂腎炎、喘息、敗血症、ＡＲＤＳ、潰瘍性大腸炎などの疾患でＩＬ−８が検出されている。また、肝炎、虚血性心疾患、ぶどう膜炎、免疫性血管炎といった疾患にもＩＬ−８が関与していると考えられている。
ＳＩＲＳは急性の重篤全身性の炎症反応に対して提案されている概念である。たとえば敗血症などの感染に起因した疾患や重症膵炎、熱傷、外傷など非感染性の疾患では重篤な全身性の炎症反応が観察されるが、この際に体温、心拍数、呼吸数、白血球数のうち２項目以上が異常であったときにＳＩＲＳの状態であるとしている。ＳＩＲＳの状態ではＩＬ−６やＩＬ−８などの炎症性サイトカインの血中濃度が高く（高サイトカイン血症）、これらが作用することによって臓器不全をおこしたり全身性の炎症反応が進行して死に至ることが報告されている。このことから、ＳＩＲＳの状態においては、いかに迅速に血中の炎症性サイトカインを除去あるいは不活化するかということが患者の予後を左右しているといえる。
【０００８】
従来より、高サイトカイン血症に対する治療としてステロイドなどの薬剤投与により免疫を抑制するなどの方法がとられているが、この方法には免疫機能の低下による感染症の重症化の危険性が伴っており、かえって感染によってサイトカインの産生を惹起してしまう恐れがある。さらに、炎症性サイトカインの作用を抑えるという目的で抗体や可溶性受容体に代表されるような標的のサイトカインと特異的に結合してその作用を阻害するタンパク質、あるいは、受容体アンタゴニストのようにサイトカインと競合的にその受容体に結合するタンパク質を生体内に投与することが試みられてきたが、生体投与のための多量のタンパク質の調製には多大な費用がかかる。また投与するタンパク質が生体にとって異物である場合には患者にとって不都合な免疫反応を惹起する場合があり、これらにより投与可能な量、回数が制限される場合が多かった。また、免疫抑制やサイトカインの作用を阻害するといった方法では、短時間で体内の炎症性サイトカイン濃度を減少させることはできず、高サイトカイン血症の迅速な治療をすることはできなかった。一方、持続的血液濾過透析（ｃｏｎｔｉｎｕｏｕｓ  ｈｅｍｏｄｉａｆｉｌｔｒａｔｉｏｎ：以下、ＣＨＤＦと略す）などの血液浄化による血中サイトカインの除去も試みられている。しかしながら、ＣＨＤＦによる血液浄化では血中のサイトカインの除去速度は遅く、また、完全に除去することができずに常にある程度のサイトカインが血中に残存しているとの報告がある（非特許文献１参照）。ＣＨＤＦ用材料は本来、重症患者の腎補助療法として開発された材料であってサイトカイン除去のために開発された材料ではないため、材料が白血球を刺激することにより、体内におけるサイトカインの産生を惹起してしまう可能性が指摘されている。またＣＨＤＦによるサイトカインの除去効率は体内でのクリアランスと比較してごく小さく、血中濃度を低下させるほどではないとする報告もある（非特許文献２参照）。
【０００９】
【特許文献１】
特開平１０−２９０８３３号公報
【００１０】
【非特許文献１】
織田ら「日本アフェレシス学会雑誌」、２００２年、２１巻、１号
【００１１】
【非特許文献２】
Ｓｃｈｅｔｚら、「インテンシブ  ケア  メディスン（Ｉｎｔｅｎｓｉｖｅ  Ｃａｒｅ  Ｍｅｄｉｃｉｎｅ）」、１９９５年、２１号、ｐ１６９−１７６
【００１２】
【発明が解決しようとする課題】
本発明は、上記従来技術の問題点を解消し、スーパー抗原あるいはサイトカインを効率よく迅速に除去または不活性化し、副作用が少ない安価な医療用材料を提供することを課題とする。
【００１３】
上記課題を解決するため、スーパー抗原あるいはサイトカインに対して親和性があり、かつその活性を失わせる、あるいは吸着することによりスーパー抗原あるいはサイトカインを効率よく迅速に除去する材料を作製するという観点から検討を行った。
【００１４】
本発明者らは鋭意検討の結果、固体高分解能１３Ｃ−ＮＭＲによる水素核のスピン−格子緩和時間（以下、Ｔ１Ｈと略す）が１．２秒以下である材料がスーパー抗原あるいはサイトカインと高い親和性を有し、スーパー抗原あるいはサイトカインを効率よく迅速に吸着あるいは除去できることを見出した。また、医療用のスーパー抗原あるいはサイトカイン除去薬あるいは医療用のスーパー抗原あるいはサイトカイン吸着材料および該吸着材料を用いた血液浄化材料および該材料を充填した血液浄化カラムを発明し、スーパー抗原が原因である疾患あるいは高サイトカイン血症に対して新しい治療材料および治療方法を提供することに成功した。
【００１５】
【課題を解決するための手段】
本発明は、上記課題を解決するために下記の構成を有する。
【００１６】
（１）スーパー抗原および／またはサイトカインを除去あるいは不活化する医療用材料であって、固体高分解能炭素核磁気共鳴法によって観測される水素核のスピン−格子緩和時間（Ｔ１Ｈ）が１．２秒以下であることを特徴とする医療用材料。
【００１７】
（２）該スーパー抗原が細菌性の毒素であることを特徴とする（１）に記載の材料。
【００１８】
（３）該細菌がグラム陽性菌であることを特徴とする（２）に記載の医療用材料。
【００１９】
（４）該スーパー抗原がトキシックショックシンドロームトキシン−１であることを特徴とする（１）または（２）に記載の材料。
【００２０】
（５）該サイトカインが炎症性のサイトカインであることを特徴とする（１）に記載の医療用材料。
【００２１】
（６）該炎症性のサイトカインがインターロイキン−６またはインターロイキン−８であることを特徴とする（１）または（５）に記載の医療用材料。
【００２２】
（７）水素結合形成可能な官能基を有することを特徴とする（１）〜（６）のいずれかに記載の医療用材料。
【００２３】
（８）該水素結合形成可能な官能基が尿素結合あるいはチオ尿素結合あるいはアミド結合を有することを特徴とする（７）に記載の医療用材料。
【００２４】
（９）水不溶性であることを特徴とする（１）〜（８）のいずれかに記載の医療用材料。
【００２５】
（１０）血液浄化用であることを特徴とする（１）〜（９）のいずれかに記載の医療用材料。
【００２６】
（１１）（１）〜（１０）のいずれかに記載の医療用材料を内部に充填することを特徴とする血液浄化用カラム
（１２）（１）〜（１０）のいずれかに記載の医療用材料あるいは（１１）に記載の血液浄化カラムを用い、血液中のスーパー抗原を除去あるいは不活化させることを特徴とするスーパー抗原が原因である疾患の治療方法。
【００２７】
（１３）（１）〜（１０）のいずれかに記載の医療用材料あるいは（１１）に記載の血液浄化カラムを用い、血液中のサイトカインを除去あるいは不活化させることを特徴とする高サイトカイン血症の治療方法。
【００２８】
【発明の実施の形態】
本発明は、効率よく迅速に、スーパー抗原が原因の疾患や高サイトカイン血症の治療を可能にする材料であって、スーパー抗原あるいはサイトカインを不活化させる、あるいは除去する材料である。
【００２９】
本発明において「除去」とはスーパー抗原やサイトカインを吸着することによって物質を液中から外へ取り除くことを指す。また「不活化」とは、スーパー抗原やサイトカインの活性を失わせることを指し、活性を失わせる方法として、酵素反応や、化学的反応などにより、スーパー抗原やサイトカインを分解、変性させたり、活性部位と他の化合物を結合したりする方法などが考えられるが、これらに限定されない。
【００３０】
本発明者らは、Ｔ１Ｈが短い、すなわち材料の平均的な分子運動性が高い材料ほどスーパー抗原あるいはサイトカインを効率よく吸着あるいは不活化させることを見いだした。具体的には、Ｔ１Ｈが１．２秒以下である材料がスーパー抗原あるいはサイトカインを効率よく除去あるいは不活化させるに好ましく、より好ましくはＴ１Ｈが０．５秒から１．０秒である材料が、もっとも好ましくはＴ１Ｈが０．８秒から１．０秒である材料がスーパー抗原あるいはサイトカインを効率よく除去あるいは不活化させることを見いだした。
【００３１】
このような材料のなかでも、水素結合形成可能な官能基を有する材料が好ましく、該水素結合形成可能な官能基が尿素結合、チオ尿素結合あるいはアミド結合を有する材料がさらに好ましい。
【００３２】
材料の平均的な分子運動性が高いということは、スーパー抗原あるいはサイトカインを不活化あるいは除去する性能を有する分子鎖の運動性が高いと考えることができる。つまりは、反応液中あるいは体液中における自由度が高いがゆえに、その分子鎖はスーパー抗原あるいはサイトカインと高い確率で接触するような場所に位置することができると考えられる。すなわち本発明の特徴は、スーパー抗原あるいはサイトカインと親和性を有する分子の密度や運動性の高さを評価することができるという事実を見いだしたことにより、スーパー抗原あるいはサイトカインを吸着もしくは不活化する材料についての新しい分子設計法を提案したことである。
【００３３】
本発明おいては、水素核（１Ｈ）のスピン−格子緩和時間（以下、水素核のスピン−格子緩和時間をＴ１Ｈと略す）の測定に固体高分解能炭素核（１３Ｃ）核磁気共鳴法を用いる。装置はケミマグネティクス（Ｃｈｅｍａｇｎｅｔｉｃｓ）社製ＣＭＸ−３００を使用し、測定には交差分極−マジック角回転法（Ｃｒｏｓｓ  Ｐｏｌａｒｉｚａｔｉｏｎ／Ｍａｇｉｃ  Ａｎｇｌｅ  Ｓｐｉｎｎｉｎｇ：以下、ＣＰ／ＭＡＳ法と略す）を用いた。ＣＰ／ＭＡＳ法はＣＰ法、ＭＡＳ法を併用した方法である。
【００３４】
本発明における緩和とは、核磁気共鳴現象がおこった後に吸収したエネルギーを消失して核スピンが元の状態に戻ることをいう。水素核（１Ｈ）や炭素核（１３Ｃ）などといったスピン量子数が１／２である核が外部磁場の中に置かれると、核スピンは外部磁場に平行に配向したスピンと逆並行に配向したスピンの２種類にわかれる。このとき、外部磁場に平行に配向したスピンのエネルギーは低く、逆並行に配向したスピンのエネルギーは高いため、低い準位の核スピンの数は高い準位の核スピンの数と比べてわずかに多くなる（以下、高いエネルギー準位を「高い準位」、低いエネルギー準位を「低い準位」とよぶ）。この２つのエネルギー準位の差に相当する高周波磁場を核スピン系に照射すると、低い準位にある核スピンが高周波磁場のエネルギーを吸収して高い準位に励起することができる（核磁気共鳴現象）。高い準位に励起した核スピンは外部格子とのエネルギーのやりとりをおこない平衡状態に戻るが、このことを緩和現象という。また、核スピンが高い準位に入ってから平衡状態に戻るまでの時定数をスピン−格子緩和時間とよび、Ｔ１であらわす。このとき外部磁場の方向をｚ軸方向、外部磁場に対して垂直である面をｘｙ平面として座標系（以下、実験室系、またはｘｙｚ軸座標系という場合がある）を定義するのが一般的である。
【００３５】
本発明において、Ｔ１Ｈの測定には、安藤勲編「高分子の固体ＮＭＲ」（講談社）、１９９４年、ｐ４６、記載のパルス系列を用いる。本発明におけるパルスとは、観測すべきすべての周波数を含んだ、短時間一定強度をもつ電気信号をいう。
【００３６】
上述のｘｙｚ座標系（実験室系）に対して核スピンの回転と同じ速さで回転している座標系（ｘ’ｙ’ｚ’座標系または回転系という）を定義すると、磁化の方向はｚ’軸方向となる。本発明では吸着材料の分子運動性を測定することを目的として、１Ｈに１８０°パルスを照射して磁化を−ｚ’軸方向に反転させた後、適当な時間（可変パラメーター；τ）をおき、この後さらに９０°パルスを照射して磁化をｙ’軸方向に倒して磁化が回復していく様子（緩和）を観測した。またこのとき、１Ｈの磁化をＣＰを用いて１３Ｃに移し、この１３Ｃの強度を観測することによって間接的に１Ｈのシグナル強度を測定した。
【００３７】
パルス照射後の待ち時間（可変パラメーター；τ）を何段階か変化させると、その待ち時間に対応したスペクトルが得られる。さらに、得られた各スペクトルにおける水素核ピークの積分強度を待ち時間に対してプロットすると、緩和曲線を得ることができる。本発明では、スピンサイト（Ｓｐｉｎｓｉｇｈｔ）（ケミマグネティック社）の計算式を用い、得られた緩和曲線からＴ１Ｈを算出した。
【００３８】
本発明においてはＴ１Ｈの値が大きいほどポリマーの分子運動性は小さく、反対にＴ１Ｈが小さいほど、ポリマーの分子運動性が大きいことに対応している。
【００３９】
本発明の材料の除去対象としてのスーパー抗原は、特に限定はされず、一般にスーパー抗原として分類されているものであればよいが、ＡＰＣによるプロセッシングを受けずにＭＨＣクラスＩＩ分子とＴＣＲＶβの外側に結合することで免疫学的な特異性を超えてＴ細胞を過剰に活性化するものが好ましく、化学薬品や医薬品あるいは内因性の蛋白質や外因性の毒素蛋白質が挙げられる。本発明では特に、細菌由来のスーパー抗原が除去対象として好ましい。細菌としては、スーパー抗原を産生するものであればよく、大腸菌や緑膿菌、肺炎桿菌等のグラム陰性菌あるいは黄色ブドウ球菌、表皮ブドウ球菌、連鎖球菌、枯草菌などのグラム陽性菌が挙げられるがこれらに限定されない。本発明では特に、黄色ブドウ球菌とＡ群連鎖球菌等のスーパー抗原産生菌が対象として好ましい。
【００４０】
本発明の材料の除去対象のサイトカインは、特に限定されないが、一般に炎症性サイトカインとして分類されている一群のタンパク、例えばＩＬ−６やＩＬ−８などが好適である。中でも、本発明の材料は、高サイトカイン血症治療用に好適に用いられる。
【００４１】
なお、本発明の材料の除去対象としてのサイトカインの由来としては、ヒト、ウサギ、ブタ由来のサイトカインが挙げられるがこれらに限定されない。
【００４２】
本発明の材料は、水素核のスピン−格子緩和時間（Ｔ１Ｈ）が１．２秒以下であることが必要であるが、この要件を満たす限り、スーパー抗原あるいはサイトカインを不活化する、またはスーパー抗原あるいはサイトカインと親和性を有する材料であればよく、特に限定されない。
【００４３】
スーパー抗原あるいはサイトカインを不活化する方法としては、前述の通り酵素反応や、化学的反応など種々考えられるが、特に限定はされない。
【００４４】
スーパー抗原あるいはサイトカインと親和性を有する材料としては特に限定はされないが、化学的に合成されるアフィニティークロマトグラフの官能基のような低分子構造を有する材料が好ましい。化学的に合成されるアフィニティークロマトグラフの官能基としては、スーパー抗原あるいはサイトカインに結合するものであればよいが、より好ましくは安価であり、滅菌しやすい化学合成の低分子構造が用いられ、より好ましくは尿素結合あるいはチオ尿素結合あるいはアミド結合を有している構造が用いられる。尿素結合、チオ尿素結合あるいはアミド結合に続く構造としては特に限定はされず、プロパン、ヘキサン、オクタン、ドデカン等の脂肪族化合物やシクロヘキサン、シクロペンタンのような脂環族化合物を用いることができるが、親和性の高さを考慮するとベンゼン、ナフタレン、アントラセン等の芳香族化合物がより好ましく用いられる。ブロモヘプタン、クロロシクロヘキサン、メチルベンゼン、クロロベンゼン、ニトロベンゼン、ジフェニルメタン、クロロナフタレン等の誘導体も好適に用いられる。
【００４５】
尿素結合、チオ尿素結合あるいはアミド結合に続く構造としては、アミノ基あるいは水酸基あるいはカルボキシル基を有する構造も用いることができる。例えばアミノ基を有する構造としては、アミノヘキサン、モノメチルアミノヘキサン、ジメチルアミノヘキサン、アミノオクタン、アミノドデカン、アミノジフェニルメタン、１−（３−アミノプロピル）イミダゾール、３−アミノ−１−プロペン、アミノピリジン、アミノベンゼンスルホン酸、トリス（２−アミノエチル）アミン等や、ジアミノエタン、ジエチレントリアミン、トリエチレンテトラミン、テトラエチレンペンタミン、ジプロピレントリアミン、ポリエチレンイミン、Ｎ’−メチル−２，２’ジアミノジエチルアミン、Ｎ−アセチルエチレンジアミン、１，２−ビス（２−アミノエトキシエタン）等のようなアミノ基を複数個有する化合物（ポリアミンということがある）が用いられる。また、水酸基を有する構造としては、ヒドロキシプロパン、２−エタノールアミン、１，３ジアミノ−２−ヒドロキシプロパン、ヒドロキシブタノン、ヒドロキシ酪酸、ヒドロキシピリジン等や、グルコース、グルコサミン、ガラクトサミン、マルトース、セルビオース、スクロース、アガロース、セルロース、キチン、キトサン等の単糖、オリゴ糖、多糖等の糖質あるいはそれらの誘導体を用いることができるがこれらに限定されない。また、カルボキシル基を有する構造としては、β−アラニン、ｎ−カプロン酸、イソ酪酸、γ−アミノ−β−ヒドロキシ酪酸等を用いることができる。本発明の材料は、尿素結合あるいは、チオ尿素結合あるいはアミド結合に続く構造として芳香族化合物とアミノ基あるいは水酸基を有する構造の両方を有することが好ましい。
【００４６】
さらに、尿素結合、チオ尿素結合、アミド結合を分子構造内に複数個有するような、ポリ尿素、ポリチオ尿素、ポリアミドも本発明の材料として用いることができる。この場合にも、尿素結合、チオ尿素結合、アミド結合に続く構造として上記構造のいずれをも用いることができるが、同様に、水酸基、アミノ基やカルボキシル基と芳香族化合物の両方を用いることが好ましい。
【００４７】
また、本発明の材料としては、モノマー、オリゴマー、ポリマーのいずれでも良く、本発明の材料の担体として、ナイロン、ポリメチルメタクリレート、ポリスルホン、ポリスチレン、ポリエチレン、ポリビニルアルコール、ポリテトラフルオロエチレンなどの合成高分子や、セルロース、コラーゲン、キチン、キトサン、およびそれらの誘導体を含む天然高分子などが好適に用いられる。
【００４８】
さらに上記モノマー、オリゴマー、ポリマーあるいはその一部が重合されているもの、モノマー、オリゴマー、ポリマーあるいはその一部が重合されているものと上記分子との化合物も本発明の材料に含まれる。すなわち、上記構造あるいはその一部として、つまり、単独重合、共重合あるいはブレンドされたこれら合成高分子や天然高分子などに、尿素結合あるいは／およびチオ尿素結合あるいは／およびアミド結合を導入することが好適に行われる。さらに、金属、セラミックス、ガラスなどの無機材料を適当な高分子で被覆したものも好適に用いられる。
【００４９】
本発明の材料において、脂肪族化合物や芳香族化合物に尿素結合あるいはチオ尿素結合を導入する場合には、イソシアネート化合物あるいはイソチオシアネート化合物とアミノ化合物とを反応させて合成することができる。また、脂肪族化合物と芳香族化合物にアミド基を導入する場合には、例えば酸、酸塩化物あるいは酸無水物とアミノ化合物とを反応させる方法を用いることができる。アミノ化合物とイソシアネート化合物、イソチオシアネート化合物、酸、酸塩化物あるいは酸無水物の混合比は適宜に選択でき、通常、イソシアネート化合物、イソチオシアネート化合物、酸、酸塩化物あるいは酸無水物１モルに対して０．１〜１０モルのアミノ化合物が好ましく用いられる。イソシアネート化合物あるいはイソチオシアネート化合物としては例えば、エチルイソシアネート、ステアリルイソシアネート、ｎ−ブチルイソシアネート、ｉｓｏ−ブチルイソシアネート、ｎ−プロピルイソシアネート、メチルイソチオシアネート、エチルイソチオシアネート、ｎ−ブチルイソチオシアネート、ベンジルイソチオシアネート、ヘキサメチレンジイソシアネート、シクロヘキシルイソシアネート、シクロヘキシルチオイソシアネート、シクロヘキシルジイソシアネート等の脂肪族イソシアネート化合物あるいはイソチオシアネート化合物のいずれをも用いることができるが、より好ましくはフェニルイソシアネート、クロロフェニルイソシアネート、フルオロフェニルイソシアネート、ブロモフェニルイソシアネート、ニトロフェニルイソシアネート、トリルイソシアネート、メトキシフェニルイソシアネート、１−ナフチルイソシアネート、４，４’ジフェニルメタンジイソシアネート、３，３’，５，５’テトラエチル４，４’ジイソシアナトジフェニルメタン、フェニルイソチオシアネート、クロロフェニルイソチオシアネート、フルオロフェニルイソチオシアネート、ニトロフェニルイソチオシアネート、トリルイソチオシアネート、メトキシフェニルイソチオシアネート、１−ナフチルイソチオシアネート等の芳香族イソシアネート化合物あるいはイソチオシアネート化合物が用いられる。酸塩化物としては例えば、イソバレリルクロライド、ステアロイルクロライド、シクロヘキサンカルボニルクロライド、６−クロロニコチン酸クロライド等の脂肪族酸塩化物のいずれをも用いることができるが、より好ましくはベンゾイルクロライド、３，４−ジクロロベンゾイルクロライド、ニトロベンゾイルクロライド、４−クロロベンゾイルクロライド、４−トルオイルクロライド、ベンゾ−［ｂ］チオフェン−２−カルボニルクロライド等の芳香族酸塩化物を用いることができる。また、酸無水物としては例えば、無水酢酸、無水コハク酸、無水フタル酸、無水安息香酸等を好ましく用いることができる。また、本発明に用いるアミノ化合物のアミノ基としては１級アミノ基、２級アミノ基、３級アミノ基のいずれでも良く、アミノ化合物としては例えば、アンモニア、ｓｅｃ−オクチルアミン、１−（３−アミノプロピル）イミダゾール、３−アミノ−１−プロペン、アミノピリジン、アミノベンゼンスルホン酸、トリス（２−アミノエチル）アミン等を好ましく用いることができる。
【００５０】
また、本発明の材料に尿素結合、チオ尿素結合あるいはアミド結合を導入するためには、ポリアミノ化合物や水酸基あるいはカルボキシル基を有するアミノ化合物も好ましく用いることができる。ポリアミノ化合物としては例えば、ジアミノエタン、ジエチレントリアミン、トリエチレンテトラミン、テトラエチレンペンタミン、ジプロピレントリアミン、Ｎ’−メチル−２，２’ジアミノジエチルアミン、ポリエチレンイミン、Ｎ−アセチルエチレンジアミン、１，２−ビス（２−アミノエトキシ）エタン等のいずれをも用いることができる。水酸基を有するアミノ化合物としては、２−エタノールアミン、３−プロパノールアミン、６−ヘキサノールアミン、１，３ジアミノ−２−ヒドロキシプロパン、２−（２−アミノエトキシ）エタノール、２−（２−アミノエチルアミノ）エタノール、グルカミン、Ｎ−メチル１，３−ジアミノプロパノール等の脂肪族アミン、あるいは、４−アミノフェノール、ジアミノフェノール、アミノヒドロキシピリミジン、ジアミノヒドロキシピリミジン、ジアミノヒドロキシピラゾール等の芳香族アミン、あるいはセリン、チロシン等のアミノ酸類が用いられる。
【００５１】
また、エピクロロヒドロリンおよびアミノ化合物、あるいは１，３ジブロモ−２−ヒドロキシプロパンを反応させることによって水酸基のみを有する化合物あるいはアミノ基のみを有する化合物から水酸基を有するアミノ化合物を合成することも可能である。
【００５２】
また、糖質に尿素結合、チオ尿素結合あるいはアミド結合を導入する場合も上記と同様な方法を用いることができる。たとえば、キトサンやグルコミサンのようなアミノ基を有する糖質の場合には、上述したようなイソシアネート化合物、イソチオシアネート化合物、酸、酸塩化物あるいは酸無水物を反応させることができる。セルロースのようなアミノ基を有さない糖質の場合には、糖質の水酸基をエピクロルヒドリン、トレシルクロライド等を用いて活性化させた後に、アンモニアやジアミノエタンなどと反応させてアミノ基を導入し、このアミノ基を利用して糖質に尿素結合、チオ尿素結合、アミド結合を導入することができる。カルボキシル基を有するアミノ化合物としては例えば、β−アラニン、４−アミノ−ｎ−酪酸、γ−アミノ−β−ヒドロキシ−ｎ−酪酸、６−アミノ−ｎ−カプロンサン等を用いることができる。
【００５３】
さらに、本発明の材料がオリゴマーあるいはポリマーの場合には、例えば、イソシアネート基、カルボキシル基あるいはスクシンイミド基等のカルボン酸の活性エステル基を有するオリゴマーあるいはポリマーに、アミノ基を反応させる方法が好ましく用いられる。また、アミノ基を有するオリゴマー、ポリマー、あるいはアンモニア、ジアミノエタン、１，３ジアミノプロパン、１，３ジアミノ−２−ヒドロキシプロパン、１，２−ビス（２−アミノエトキシ）エタン、トリス（２−アミノエチル）アミン、２−（２−アミノエチルアミノ）エタノールなどによりアミノ基を導入したオリゴマー、ポリマーに上述したようなイソシアネート化合物、イソチオシアネート化合物、酸、酸塩化物あるいは酸無水物を反応させることも好ましい方法である。また、酸塩化物やイソシアネート化合物がアミノ基以外の基に反応しないように、反応時間、反応温度あるいは混合比などを制御したり、保護基を用いることが好ましい。アミノ基、イソシアネート基、カルボキシル基あるいはスクシンイミド基等のカルボン酸の活性エステル基、酸塩化物基、酸無水物基などの官能基は、必要に応じてオリゴマー、ポリマーに導入することができる。
【００５４】
さらに本発明の材料にポリ尿素あるいはポリチオ尿素が含まれる場合には、たとえばポリイソシアネート化合物あるいはポリイソチオシアネート化合物とポリアミノ化合物とを反応させる方法を用いて製造することができる。通常、試薬の量はポリイソシアネート化合物あるいはポリイソチオシアネート化合物１モルに対して、０．１〜１０モルのポリアミンが好ましく用いられる。ポリイソシアネート化合物あるいはポリイソチオシアネート化合物としてはヘキサメチレンジイソシアネート、シクロヘキシルジイソシアネート、トリレンジイソシアネート、４，４’ジフェニルメタンジイソシアネート、３，３’５，５’テトラエチル４，４’ジイソシアナトジフェニルメタン、キシレンジイソシアネート、メチレンビス（４−フェニルイソチオシアネート）等が好適に用いられる。また、ポリアミノ化合物としてはジアミノエタン、ジアミノプロパン、１，３ジアミノ−２−ヒドロキシプロパン、Ｎ’−メチル１，３−ジアミノ−２−プロパノール、ジアミノフェノール、Ｎ，Ｎ’−ジアミノピペラジン、ジエチレントリアミン、トリエチレンテトラミン、テトラエチレンペンタミン、ポリエチレンイミン、ジプロピレントリアミン、Ｎ’−メチル２，２’−ジアミノジエチルアミンなどを好ましく用いることができる。さらに、本発明材料がポリアミドの場合には、例えばポリカルボン酸とポリアミンを重縮合させる方法を用いることができる。また、ポリ尿素、ポリチオ尿素、ポリアミドのいずれにおいても、ポリイソシアネート、ポリイソチオシアネート、ポリカルボン酸などを用いずに、各々の官能基を一つずつ順次導入することによって最終的にポリ尿素、ポリチオ尿素、ポリアミドを得る方法も好ましく行われる。
【００５５】
上記全ての反応は標準的には、反応温度は０〜１５０℃、反応時間は０．１〜２４時間で行われる。また、反応溶媒は必ずしも必要ではないが、一般的には溶媒の存在下に行われる。使用しうる溶媒としては、メタノール、エタノール、イソプロピルアルコール、ｎ−ブタノール、ヘキサン、アセトン、Ｎ，Ｎジメチルホルムアミド、ジメチルスルホキシド等の脂肪族炭化水素類、ベンゼン、トルエン、キシレン等の芳香族炭化水素類、ジクロロメタン、クロロホルム、クロロベンゼン等のハロゲン化炭化水素類、ジエチルエーテル、テトラヒドロフラン、ジオキサン等のエーテル類が挙げられる。反応終了後の反応液は、必要に応じ、ろ過、濃縮などの通常の後処理の後、カラムクロマトグラフィー、再結晶などの操作により精製することができる。また、水不溶性の材料の場合、ガラスフィルター等を用いて洗浄することも好ましい方法である。
【００５６】
本発明の材料のＴ１Ｈを１．２秒以下にするためには、材料の分子運動性が高くなるように材料を製造すればよい。すなわち本発明の材料の分子運動性が高くなるような鎖長を有する分子を用いたり、分子内結合が少なくなるように材料を製造することで分子の自由度を高めるなどの方法が考えられる。しかしながら、分子鎖が長すぎれば水素結合、分子間力などの分子内結合により材料の運動性が低められてしまい、逆に、短い分子鎖では運動能力が低いことにより、材料の運動性も低くなってしまう。また、分子鎖の長さが適度である場合でも、分子鎖の担体への固定化量が多すぎれば分子鎖の自由度がなくなるために材料の運動性が低められてしまい、逆に、分子鎖の固定化量が少なすぎると、分子鎖による運動が低くなることにより材料の運動性を低めてしまう。本発明の材料は上記に記載の分子を組み合わせて製造することができるが、たとえば、本発明の材料として、ポリスチレンにアミドメチル基を固定化し、それによって形成されるアミド結合に続く分子としてアミノ基を有する物質を導入する場合は上記に記載のポリアミンを用いることができ、尿素結合を形成するためにポリアミンに続いてパラクロロフェニルイソシアネートを導入すれば、スーパー抗原あるいはサイトカインを除去あるいは不活化できる、Ｔ１Ｈが１．２秒以下となる材料を作成することができる。たとえばＤＭＳＯ溶媒中においてポリアミンとしてテトラエチレンペンタミンを用いる場合の反応過程におけるテトラエチレンペンタミン添加量は、ポリスチレンの繰り返し最小単位を１分子としたとき、ポリスチレン１ｍｏｌに対して好ましくは４００ｍｍｏｌから１００ｍｍｏｌであり、もっとも好ましくは２００ｍｍｏｌであるが、これ以外の溶媒や分子を用いた場合の添加量はこれに限らない。
【００５７】
本発明の材料の中で水不溶性のものは、スーパー抗原およびサイトカインの除去カラムを構成する材料として好ましく用いられる。本発明の材料の形状としては特に限定はないが、カラムとして用いる場合には、ビーズ、繊維、中空繊維、糸束、ヤーン、ネット、編み地、不織布、織物等が好ましい。
【００５８】
スーパー抗原あるいはサイトカインを不活化あるいは除去する部分の機械的強度が低い場合は、たとえば機械的強度の高い材料を芯材として用いることができる。芯材は、本発明材料の機械的強度を補強できる材料であれば特に限定はない。芯材の形状としては特に限定はなく、たとえば本発明材料を繊維状とする場合、海島型繊維とすることができる。島成分を補強用材料として用いるような海島型繊維は、例えば米国特許第４６６１２６０号明細書に記載の方法を用いて製造することができる。
【００５９】
また、本発明の材料は単独での使用のみならず、適当な材料にさらに固定化したり、他材料と混合して一つのカラムあるいは被覆材料として用いることもできる。固定化あるいは混合などの操作は、前記形状に加工する前に行っても良いし、加工した後に行っても良い。
【００６０】
スーパー抗原が原因である疾患あるいは高サイトカイン血症の治療方法としては、スーパー抗原あるいはサイトカインと親和性のある、あるいは不活化させる構造を有する材料を血中に投与したり、あるいは水不溶性にして血液カラムとし、血液を体外循環させて除去することができるが、特に限定されることはない。本発明の材料を用いたカラムを体外循環用カラムとして用いる場合には、体外に導出した血液を直接カラムに通しても良いし、血漿分離膜などと組み合わせて使用しても良い。
【００６１】
【実施例】
以下に実施例を用いて詳細に説明を加えるが、発明の内容が実施例に限定されるものではない。
【００６２】
実施例１：スーパー抗原あるいはサイトカインを除去あるいは不活化する材料の作製
５０重量比の海成分（ポリスチレン）と５０重量比の島成分（ポリプロピレン）とからなる海島型複合繊維（強度：０．７６ｇ／ｄ、伸度：６９％、太さ：９．０７デニール、島の数：１６）３０ｇを、６０ｇのＮ−メチロール−α−クロロアセトアミド、４００ｇのニトロベンゼン、４００ｇの９８％硫酸、０．８６ｇのパラホルムアルデヒドの混合溶液と２０℃で１時間反応させた。その後、繊維をニトロベンゼンで洗浄し、その後メタノールにより反応を停止させた後、さらにメタノールで洗浄することによりαクロロアセトアミドメチル化架橋ポリスチレン繊維（以下ＡＭＰＳｔ繊維と略す）を得た。
【００６３】
次に、テトラエチレンペンタミン５．０ｇを添加し、ジメチルスルホキシド（以下ＤＭＳＯと略す）５００ｍｌを用いて洗浄した。さらにその繊維を１．９ｇの４−クロロフェニルイソシアネートを溶解したＤＭＳＯ１０００ｍｌの溶液に添加し、反応を３０℃で１時間行った。その後、ガラスフィルター上でＤＭＳＯ１０００ｍｌを用いて洗浄し、さらに蒸留水１０００ｍｌを用いて洗浄し、尿素結合を導入したＡＭＰＳｔ繊維（ＵＡＭＰ繊維と略す）を得た。作成した材料のＴ１Ｈが後述の測定方法で測定した。
【００６４】
ここで、作製したＵＡＭＰ繊維を用いて、ＴＳＳＴ−１（トキシンテクノロジー社製）、ヒト由来のサイトカインであるＩＬ−６（以下ｈ−ＩＬ−６と略す。ペプロテック社製）、およびヒト由来のサイトカインであるＩＬ−８（以下ｈ−ＩＬ−８と略す。ペプロテック社製）の吸着試験を行った。ＴＳＳＴ−１、ｈ−ＩＬ−６、ｈ−ＩＬ−８がそれぞれ１ｎｇ／ｍｌの濃度になるように牛胎児血清（シグマ社製）中に溶解させ被吸着溶液とした。ＵＡＭＰ２ｃｍ２をそれぞれこの被吸着溶液１．４ｍｌ中に添加し、３７℃で２時間旋回撹拌しつつ吸着反応を行った。吸着前後のＴＳＳＴ−１、ｈ−ＩＬ−６、ｈ−ＩＬ−８濃度を測定した。
【００６５】
【表１】
2004305305.tif 000002
【００６６】
このようにＴＳＳＴ−１、ｈ−ＩＬ−６、ｈ−ＩＬ−８濃度が低下することが確認され、ＴＳＳＴ−１、ｈ−ＩＬ−６、ｈ−ＩＬ−８に対して高い吸着率を有する繊維が作成されたことが示された。
【００６７】
（Ｔ１Ｈの測定）
作製したＵＡＭＰ繊維を自然乾燥させてテフロン（登録商標）製の高速測定用試料管にいれ、ケミマグネティック社のＣＭＸ−３００分光器（１３Ｃ：７５．０ＭＨｚ）を用いてＴ１Ｈの測定をおこなったところ、Ｔ１Ｈは０．５秒から０．７秒であった。
【００６８】
【表２】
2004305305.tif 000003
【００６９】
Ｔ１Ｈの測定は下記条件で行った。
【００７０】
測定周波数＝７５．１８９８２９ＭＨｚ
試料回転数＝１０．５ＫＨｚ
パルス幅＝４．５μｓｅｃ
パルス待ち時間＝１０ｓｅｃ
コンタクトタイム＝１．５ｍｓｅｃ
測定温度＝２０℃
τ＝０．０１ｍｓ、０．１ｍｓ、１ｍｓ、１０ｍｓ、１００ｍｓ、３００ｍｓ、５００ｍｓ、１０００ｍｓ、１５００ｍｓ、２０００ｍｓ、３０００ｍｓ、５０００ｍｓ、７０００ｍｓ、１００００ｍｓ
得られたピークの積分強度を待ち時間に対してプロットし、この緩和曲線から最小二乗法によってＴ１Ｈを算出した。最小二乗法の計算式としてケミマグネティック社スピンサイト（Ｃｈｅｍａｇｎｅｔｉｃ  Ｓｐｉｎｓｉｇｈｔ）ソフト中のｔ１３ｉｒを用いた。
ｔ１３ｉｒは次式［Ｉ］で表される。
【００７１】
【数１】
2004305305.tif 000004
【００７２】
比較例１：
実施例１において作成した材料を、テトラエチレンペンタミンの添加量を１．５６２ｇ（比較例１ａ）、１６０ｇ（比較例１ｂ）に変更する以外は実施例１と全く同様にして作成し、実施例１と全く同様の吸着試験をおこなった（表１）。
【００７３】
このように、本実施例、比較例で用いた材料においてはテトラエチレンペンタミンの添加量によってＴ１Ｈを変化させることができ、Ｔ１Ｈの値によってＴＳＳＴ−１、ｈ−ＩＬ−６、ｈ−ＩＬ−８の吸着率に差があることが確認された。
【００７４】
比較例２：
比較例１において作製したＵＡＭＰ繊維を固体高分解能１３Ｃ−ＮＭＲによってＴ１Ｈを測定した。
このように、テトラエチレンペンタミンの添加量によってＴ１Ｈに差があることが確認された（表２）。
【００７５】
比較例１および２より、Ｔ１Ｈが長いＵＡＭＰ繊維ほどＴＳＳＴ−１、ｈ−ＩＬ−６、ｈ−ＩＬ−８の吸着率が低下することが確認された。
【００７６】
【発明の効果】
本発明により、高タンパク質濃度の溶液中においてもスーパー抗原あるいはサイトカインを除去あるいは不活化することにより、スーパー抗原が原因の疾患を治療する、あるいはＳＩＲＳを予防する、あるいは高サイトカイン血症を改善させる材料および治療方法が提供できた。本発明の材料を用いて血液中に存在するスーパー抗原あるいはサイトカインを除去あるいは不活化できるため、スーパー抗原が原因である高サイトカイン血症などやＳＩＲＳの状態を改善あるいは予防することができる薬剤あるいは血液浄化用のカラムを提供することが可能となった。